(57)【要約】【課題】本発明は、圃場から抜き取った野菜を詰めた収穫袋の取り外しを容易にして収穫作業の労力を軽減することを課題とする。【解決手段】  収穫部５で引き抜いた野菜を機体後部の選別部６に送り収容部７に吊るした収容袋Ｂに袋詰めする野菜収穫機において、前記収容袋Ｂを吊るフック杆９をハンガー１６に設け、その引掛け部９ａを先端部が略水平な引掛け位置から上方に向う保持位置まで取手９ｂで回動可能に設けたことを特徴とする野菜収穫機である。【選択図】図６
2020195290.tif 000002
【特許請求の範囲】
【請求項１】
収穫部５で引き抜いた野菜を機体後部の選別部６に送り収容部７に吊るした収容袋Ｂに袋詰めする野菜収穫機において、前記収容袋Ｂを吊るフック杆９をハンガー１６に設け、その引掛け部９ａを先端部が略水平な引掛け位置から上方に向う保持位置まで取手９ｂで回動可能に設けたことを特徴とする野菜収穫機。
【請求項２】
前記フック杆９を前記引掛け位置と前記保持位置に付勢する不安定支持機構で前記ハンガー１６に支軸１８で枢支したことを特徴とする請求項１に記載の野菜収穫機。
【請求項３】
前記フック杆９は前記保持位置で前記引掛け部９ａの先端をハンガー１６に接触して先端部を閉じることを特徴とする請求項１に記載の野菜収穫機。
【請求項４】
前記フック杆９の引掛け部９ａは支軸１８を中心にした円弧状に形成したことを特徴とする請求項１に記載の野菜収穫機。
【請求項５】
前記収容袋Ｂの四隅を吊るフック杆９を設け、各フック杆９の引掛け部９ａを前記収容袋Ｂの内方に向かって設けたことを特徴とする請求項１に記載の野菜収穫機。
【発明の詳細な説明】
【技術分野】
【０００１】
本発明は、圃場に植生する野菜を引き抜いて収穫する野菜収穫機に関する。
【背景技術】
【０００２】
野菜収穫機として、特許文献１に記載の乗用型野菜収穫機がある。
【０００３】
この乗用型野菜収穫機は、一人の作業者が機体を操縦しながら圃場を走行させて引抜搬送装置で野菜を引き抜きながら後方に搬送し、機体の後部に座った補助作業者が収穫した野菜を選別して袋詰め作業を行い、袋詰めした野菜が満杯になると圃場に降ろして、さらに収穫作業を続けるようにしている。
【先行技術文献】
【特許文献】
【０００４】
【特許文献１】特開２００５−３３３９１７号公報
【発明の概要】
【発明が解決しようとする課題】
【０００５】
収穫野菜を詰める収穫袋は吊り下げて機体に保持しているが、収穫袋が野菜で満杯になると１００ｋｇ程度の重さになるために、吊り下げた収穫袋を吊り具から取り外して圃場に降ろす作業が重労働となる。
【０００６】
このために、本発明は、圃場から抜き取った野菜を詰めた収穫袋の取り外しを容易にして収穫作業の労力を軽減することを課題とする。
【課題を解決するための手段】
【０００７】
上記本発明の課題は、次の技術手段により解決される。
【０００８】
請求項１の発明は、収穫部５で引き抜いた野菜を機体後部の選別部６に送り収容部７に吊るした収容袋Ｂに袋詰めする野菜収穫機において、収容袋Ｂを吊るフック杆９をハンガー１６に設け、その引掛け部９ａを先端部が略水平な引掛け位置から上方に向う保持位置まで取手９ｂで回動可能に設けたことを特徴とする野菜収穫機とする。
【０００９】
請求項２の発明は、フック杆９を引掛け位置と保持位置に付勢する不安定支持機構でハンガー１６に支軸１８で枢支したことを特徴とする請求項１に記載の野菜収穫機とする。
【００１０】
請求項３の発明は、フック杆９は保持位置で引掛け部９ａの先端をハンガー１６に接触して先端部を閉じることを特徴とする請求項１に記載の野菜収穫機とする。
【００１１】
請求項４の発明は、フック杆９の引掛け部９ａは支軸１８を中心にした円弧状に形成したことを特徴とする請求項１に記載の野菜収穫機とする。
【００１２】
請求項５の発明は、収容袋Ｂの四隅を吊るフック杆９を設け、各フック杆９の引掛け部９ａを収容袋Ｂの内方に向かって設けたことを特徴とする請求項１に記載の野菜収穫機とする。
【発明の効果】
【００１３】
請求項１の発明で、収容部７に吊るす収容袋Ｂは、ハンガー１６に設けたフック杆９の引掛け部９ａの先端部が略水平な引掛け位置で収容袋Ｂの吊り具に引っ掛け、その先端部が上方に向う保持位置まで取手９ｂで回動するのであるが、取手９ｂでフック杆９を回動するので、取り付けと取り外しが容易になる。
【００１４】
請求項２の発明で、請求項1の効果に加えて、フック杆９が不安定支持機構で引っ掛け位置と保持位置に切換るので、収容袋Ｂの引掛け位置と保持位置への切換が確実である。
【００１５】
請求項３の発明で、請求項1の効果に加えて、フック杆９の引掛け部９ａがハンガー１６に接触して先端部を閉じることで、収容袋Ｂの保持が確実で機体が揺れても外れることがない。
【００１６】
請求項４の発明で、請求項1の効果に加えて、ハンガー１６の引掛け部９ａが支軸１８を中心に回動し易くて取手９ｂでの収容袋Ｂの取り付けと取り外しの操作が軽快に行える。
【００１７】
請求項５の発明で、請求項1の効果に加えて、四隅をフック杆９で吊り下げた収容袋Ｂに野菜を詰めていくと袋口が広がろうとするが、引掛け部９ａが内向きになっているので、不用意に外れることがない。
【図面の簡単な説明】
【００１８】
【図１】本発明の実施の形態にかかる野菜収穫機の右側面図である。
【図２】同野菜収穫機の左側面図である。
【図３】同野菜収穫機の平面図である。
【図４】同野菜収穫機の背面図である。
【図５】同野菜収穫機の収容部の拡大斜視図である。
【図６】同野菜収穫機のハンガーの拡大平面図である。
【図７】同野菜収穫機の茎葉処理装置の拡大右側面図である。
【図８】同野菜収穫機の茎葉搬送ベルトの平面図である。
【図９】同野菜収穫機の従動プーリの側断面図である。
【図１０】同野菜収穫機の肩揃えベルトの側断面図である。
【図１１】同野菜収穫機の肩揃えベルトの平面図である。
【図１２】同野菜収穫機の切断刃取付部の側断面図である。
【図１３】同野菜収穫機の詳細な左側面図である。
【図１４】同野菜収穫機の詳細な左側面図である。
【発明を実施するための形態】
【００１９】
本発明の実施の形態について、以下に図面に基づいて詳細に説明する。
【００２０】
本発明の構成例に係る野菜収穫機の左右の側面図を図１、図２に夫々示す。図３はその野菜収穫機の平面図、図４はその背面図である。図１、図２、図３、図４において、野菜収穫機１は、左右のクローラ３Ｌ，３Ｒ等からなる走行装置３によって支持される車体２に、走行および機器操作のための操縦部４、圃場に植生する根菜系作物を取り込む収穫部５、取り込んだ作物を選別作業するための選別部６、選別後の作物を収容する収容部７等を備えて構成される。
【００２１】
収穫部５には、作物の茎葉部を挟持し根菜本体部を吊下げた状態で後側上方に搬送して圃場から引き上げる左右一対の引上搬送ベルト１２，１２を設け、該引上搬送ベルト１２，１２の前側に根菜の葉部を引起しする引起装置１１を配置し、引上搬送ベルト１２，１２の後部に引上搬送ベルト１２，１２から根菜を受けて茎葉部を切断する茎葉処理装置１３を設ける。また、切断されて茎葉部から分離して落下する根菜本体部を受けて根菜本体部側に残る茎葉を取り除く残葉処理装置１４等を備える。
【００２２】
野菜収穫機１の平面構成は、平面図を図３に示すように、機体の左側には、引上搬送ベルト１２，１２からなる収穫部５を配置し、機体の右側には、収穫した作物を収容する収容袋Ｂをセットする収容部７と、その前方で作物を収容した収容袋Ｂを機体の前後方向に沿って複数個を載置可能な袋支持台２２とを設ける。
【００２３】
収穫部５と収容部７の間には選別部６を設けている。選別部６について説明すると、茎葉処理装置１３の下方を選別始端側に、収容部７の上方を搬送終端側とし、機体後部を機体平面視左右方向にわたって構成する選別ベルト６ｂを設けている。選別ベルト６ｂは搬送始端側から搬送終端側に向かって上昇するよう傾斜して構成し、その搬送途中部の一部には略平坦、あるいは緩やかな傾斜部分であり、作業者が不良作物を選別する不良作物選別部６ｐを構成している。該不良作物選別部６ｐは操縦部４の運転座席４ｓのすぐ後方にあり、操縦者が野菜収穫機を操縦しながら、不良作物選別部６ｐで選別ベルト６ｂを流れる収穫した作物から不良の作物を手で選別除去可能に構成している。
【００２４】
６ｃは選別ベルト停止ボタンで選別ベルト６ｂと運転座席４ｓとの間に配置することで、例えば、収容袋Ｂに作物が満杯になると操縦者が停止ボタン６ｃを押して選別ベルト６ｂを停止させることができる構成としている。
【００２５】
上記のような選別ベルト６ｂの構成とすることで操縦席４ｓにいる操縦者が野菜収穫機を操作しながら、片手で不良作物選別部６ｐの不良作物を除去することも出来る。
【００２６】
なお、不良作物選別部６ｐの後方には作物の不良品除去を行なう補助作業者が座る補助座席６ｓを設けている。
【００２７】
収容部７は、図５の如く、選別ベルト６ｂの支持フレーム１９，１９から右側方に吊りアーム１５，１５を伸ばし、その先端に側面視への字状のハンガー１６，１６を支軸１７で枢支している。
【００２８】
ハンガー１６は、図６の如く、下部にはループ状に弯曲した引掛け部９ａを形成し上部には真っ直ぐに伸びた取手９ｂを形成したフック杆９を両端部に支軸１８で枢支し、引張バネ１０でフック杆９の引掛け部９ａが収容袋Ｂの内側に略水平に向かう吊下げ位置と上方に向かう吊下げ位置に切換る不安定切換機構に構成している。すなわち、フック杆９の引掛け部９ａは先端がハンガー１６に接触して閉じた保持位置と、引掛け部９ａが略水平に開いて内側に向かう吊下げ位置に付勢して保持される。
【００２９】
引掛け部９ａを吊下げ位置でこの引掛け部９ａに収容袋Ｂの取手紐を引っ掛け、取手９ｂを外側へ回すと引掛け部９ａが回動してハンガー１６に接触してループ部を閉じて収容袋Ｂをしっかり保持するようになる。
【００３０】
図１３に示す如く、ハンガー１６の下部には、収容袋Ｂの底部を支持するフラットな袋支持台２２を備える。図１４は野菜収穫機の詳細な左側面図である。
【００３１】
この袋支持台２２は、前袋支持台２２ａと後袋支持台２２ｂの二分割とし、車体２に設ける横軸２３に枢支し、伸縮シリンダ２４で前袋支持台２２ａを前下方へ倒し後袋支持台２２ｂを後下方へ倒せるようにしている。
【００３２】
袋支持台２２を設ける側の右クローラ３Ｒは車体２を押し上げる昇降機構を構成し、収容袋Ｂを圃場に降ろす場合に右ローラ３Ｒを低くして車体２の右側を降下して袋支持台２２を圃場面に近づけ、走行装置３を前進或いは後退走行させると共に車体２の右側を通常位置まで上昇させて左クローラ３Ｌの支持高さと同じに戻すようにしている。こうすることで、前袋支持台２２ａ或いは後袋支持台２２ｂを傾けて収容袋Ｂを滑らせて圃場に降ろす際の落差を小さくして接地衝撃を緩和することで野菜が損傷することを防ぐようになる。
【００３３】
操縦部４には袋支持台２２の前後傾斜を制御する支持台操作レバー２５を設け、前袋支持台２２ａと後袋支持台２２ｂの傾斜をそれぞれ行えるようにする。この支持台操作レバー２５は切り換えて前袋支持台２２ａと後袋支持台２２ｂの傾斜を行い、一方を傾斜している場合に他方は動かず、水平に戻したことを検出すると「ピッ、ピッ」と警報が鳴り、水平以上には上昇傾斜しない。この支持台操作レバー２５を中立位置にすると、別に設ける昇降スイッチをオンしても動作しないようにする。昇降スイッチから手を離すと消灯していた表示灯が点灯して再可動可能を表示する。なお、音声で昇降する袋支持台２２の動きを知らせるようにすると良い。また、前袋支持台２２ａと後袋支持台２２ｂを水平にして車体２側を中心に起立して機体の側部に沿わせて収納する。
【００３４】
収穫部５と運転座席４ｓの間にはエンジンを搭載する原動部を設け、その上部を原動カバー２０で覆っている。原動カバー２０は固定の後カバーに対して前カバーをヒンジで開閉可能に取り付け、前カバーを起立保持して内部を開放可能にして、バッテリーの交換やミッションオイルの補給を行えるようにしている。前カバーには開閉用の取手を設け、閉じると磁石で後カバーに引き付けて閉じる。
【００３５】
前カバーにオープンノブを設け、そのオープンノブをロック解除すると、「メインキーをオフにして電源を切ってください」とのメッセージを発したり、自動でエンジンを停止したり各部のベルトの駆動を停止したりすることでメンテナンス時の安全を図ることが出来る。
【００３６】
なお、操縦部４に作業者の登録した音声を認識するマイクを設け、「右上げ」、「右下げ」、「水平」等と発声することで、車体２の右側の昇降を制御すると作業性が良い。
【００３７】
上記構成の野菜収穫機１は、収穫作業中においては、選別部６で選別作業する補助作業者がハンガー１６に吊り下げた収容袋Ｂ内に収穫作物を投入し、収容袋Ｂが満杯になると走行装置３を停止して、フック杆９の取手９ｂを回動して引掛け部９ａから収容袋Ｂの取手紐を外して収容袋Ｂを前袋支持台２２ａ上に移動する。
【００３８】
次に、補助作業者が空の第二収容袋Ｂをハンガー１６のフック杆９にセットすることにより、収穫作業を続行することができる。そして、第二収容袋Ｂも満杯になると、ハンガー１６のフック杆９から第二収容袋Ｂの取手紐を外して後袋支持台２２ｂ上に載せる。
【００３９】
袋支持台２２上に収容袋Ｂを載せるスペースが無くなると、収容袋Ｂを圃場に降ろすのであるが、機体が圃場の端に達している場合は、前袋支持台２２ａを前下方に傾斜させて収容袋Ｂを機体の前側に降ろすし、圃場の中間部でさらに前進して収穫作業を続ける場合は、後袋支持台２２ｂを後下方に傾斜させて収容袋Ｂを機体の後側に降ろすことで、次の収穫作業は機体をそのまま前進させて行える。
【００４０】
次に、茎葉処理装置１３について説明する。
【００４１】
茎葉処理装置１３は、図７の拡大側面図に示すように、引上搬送ベルト１２、１２から作物を受け継いで切断刃４２、４２まで搬送する茎葉搬送ベルト４１，４１を中心に、その先端部直下に肩揃えベルト４３，４３、上方に茎葉保持ベルト４４，４４を配して構成される。
【００４２】
茎葉搬送ベルト４１，４１は、図８の平面図に示すように、後端部に配置した駆動プーリ５１，５１と前端に配置した従動プーリ５２，５２との間に架け渡し、対向位置にアイドラ４１ａ，４１ａを配置する。従動プーリ５２，５２は、少なくとも機体外側についてその支軸５３，５３の位置を変更して茎葉搬送ベルト４１，４１の先端部を開閉調節可能に構成する。従動プーリ５２の構成は、図９の拡大断面図に示すように、フレーム５４に支軸５３を貫通し、カラー５５を介して下方に突出してその軸端をナット５６で固定する。フレーム５４には、支軸５３の移動範囲５３ａ，５３ｂに及ぶ長穴を形成する。
【００４３】
上記構成の茎葉搬送ベルト４１，４１は、従動プーリ５２，５２の位置を変更することにより、茎葉搬送ベルト４１，４１の先端部を開閉調節することができ、この開閉調節により挟持搬送始端位置を変更することができる。本実施例では茎葉処理装置１３の下方からナット５６を操作することで従動プーリ５２，５２の位置を変更しており、この場合、茎葉搬送ベルト４１，４１が高い位置で、かつ、その上方に茎葉保持ベルト４４，４４が配置されて作業が困難であるが、下方の開放スペースから容易に操作することができる。
【００４４】
肩揃えベルト４３，４３は、作用部が開閉調節可能に構成し、対向するベルト間の隙間を閉じることにより、霜枯れニンジンを掘るときの落下を防止することができる。例えば、肩揃えベルト４３，４３は、その平面図と側面図をそれぞれ図１０、図１１に示すように、切断刃４２、４２に向かう送り線に沿って対向する前後のプーリ６１，６２とその間を送るためのベルト押さえプレート６３を一体構成して内方に位置調節可能にフレーム５４に固定し、テンショナ６４でベルトテンションを確保する。
【００４５】
図１２は、切断刃４２の取付を示す側断面図で、茎葉搬送フレーム４５に軸支した刃軸４６のスプライン軸部４６ｂに刃取付フランジ４７を嵌合し、刃軸４６のネジ部４６ａに螺合する押えナット４９で切断刃４２の上下位置を調整可能にしている。取付フランジ４７の係合溝に押えナット４９のボール３５が嵌合して刃軸４６に対する上下位置を決めている。また、刃軸４６にワンウエイクラッチ付きの駆動ギヤ５０で動力を伝動することで、動力を止めても切断刃４２が慣性力で回るようにしている。
【符号の説明】
【００４６】
Ｂ  収容袋
５  収穫部
６  選別部
７  収容部
９  フック杆
９ａ  引掛け部
９ｂ  取手
１６  ハンガー
１８  支軸
【図１】
2020195290.tif 000003
【図２】
2020195290.tif 000004
【図３】
2020195290.tif 000005
【図４】
2020195290.tif 000006
【図５】
2020195290.tif 000007
【図６】
2020195290.tif 000008
【図７】
2020195290.tif 000009
【図８】
2020195290.tif 000010
【図９】
2020195290.tif 000011
【図１０】
2020195290.tif 000012
【図１１】
2020195290.tif 000013
【図１２】
2020195290.tif 000014
【図１３】
2020195290.tif 000015
【図１４】
2020195290.tif 000016